(57)【要約】【課題】表示媒体の入れ替え作業を手軽にできるようにすると共に、社会インフラ整備に莫大な資金を投入することなく表示媒体による提供情報の内容を随時変更できるようにし、しかも、昼間には提供情報の視認性を維持して夜間には提供情報の提供に際して演色性を生じさせる。【解決手段】スクリーンを含む複数の提供情報領域が配列された表示媒体をロール状に巻回保持すると共に引き出された表示媒体の巻き戻しが可能な媒体保持部を電柱に取り付けられた基部に保持させ、媒体保持部から引き出した表示媒体をプロジェクタ付きの昇降体に保持させ、昇降体を上昇させる。昼間には所望の提供情報領域を出現させ、夜間にはスクリーンを出現させてプロジェクタでホストコンピュータから受信した画像データを投影する。【選択図】図１
2011081097.tif 000002
【特許請求の範囲】
【請求項１】
電柱に設置され、通信回線網を介して外部機器と通信可能な複数個の情報提供装置と、
前記通信回線網を介して前記情報提供装置と通信し、前記情報提供装置を制御するホストコンピュータと、
を備え、
前記情報提供装置は、
電柱に取り付けられる基部と、
前記基部に設けられて斜め下方に向けて映像を投影するプロジェクタを有する昇降体を昇降自在に支持する昇降機構と、
前記基部に設けられて駆動力を受ける受動部の回転運動を前記昇降体の昇降運動に変換する動力変換機構と、
前記プロジェクタの投影画像を映し出すスクリーンを含む複数の提供情報領域を長手方向に配列する表示媒体をロール状に巻回保持すると共に引き出された前記表示媒体をゼンマイの力を利用して巻き戻す巻戻し機構を有する媒体保持部を前記昇降体の下方位置で前記基部に着脱自在に保持させ、前記媒体保持部から引き出し可能な前記表示媒体を前記昇降体に着脱自在に保持させる媒体装着機構と、
アクチュエータの駆動力によって前記昇降体に保持された表示媒体の巻き取り及び巻き戻しを行なう巻回機構と、
前記プロジェクタのドライバに画像データを送信する入出力回路を備え、前記通信回線網を介して前記ホストコンピュータから受信した指令に従い前記アクチュエータを駆動制御すると共に前記ホストコンピュータから受信した画像データを前記入出力回路から出力する制御部と、
を備え、
前記ホストコンピュータは、
記憶領域に個々の前記情報提供装置毎に登録されている現在装着中の前記表示媒体に含まれている前記提供情報領域と提供期間との間の対応関係定義を参照し、現在の提供期間に対応する前記提供情報領域を前記媒体保持部と前記昇降体との間に位置付けるための前記アクチュエータの駆動制御情報を生成する手段と、
現在が前記プロジェクタによる画像投影を実行しない第１の状態なのか画像投影を実行する第２の状態なのかを判定する手段と、
前記第１の状態であると判定した場合には前記生成した駆動制御情報を、前記第２の状態であると判定した場合には前記生成した駆動制御情報に前記プロジェクタに投影させる画像データを伴わせて、それぞれ対応する前記情報提供装置に宛て前記通信回線網によって配信する手段と、
を備える、
情報提供システム。
【請求項２】
前記ホストコンピュータがアクセス可能な前記記憶領域を更に備え、
前記記憶領域に登録されている前記対応関係定義は、前記提供情報として地域の安全に関する安全情報を前記提供期間である時間帯と対応付けて定義している、
請求項１記載の情報提供システム。
【請求項３】
前記情報提供装置は、
スピーカと、
音声データを合成音声に変換して前記スピーカから出力させる音声合成回路と、
を備え、
前記ホストコンピュータは、
前記駆動制御情報の配信に際して当該駆動制御情報に対応する音声報知をデータ化した音声データを伴わせる、
請求項２記載の情報提供システム。
【請求項４】
前記情報提供装置は、前記媒体保持部の保持位置よりも下方に外灯を備える、請求項１ないし３のいずれか一記載の情報提供システム。
【請求項５】
電柱に取り付けられる基部と、
前記基部に設けられて斜め下方に向けて映像を投影するプロジェクタを有する昇降体を昇降自在に支持する昇降機構と、
前記基部に設けられて駆動力を受ける受動部の回転運動を前記昇降体の昇降運動に変換する動力変換機構と、
前記プロジェクタの投影画像を映し出すスクリーンを含む複数の提供情報領域を長手方向に配列する表示媒体をロール状に巻回保持すると共に引き出された前記表示媒体をゼンマイの力を利用して巻き戻す巻戻し機構を有する媒体保持部を前記昇降体の下方位置で前記基部に着脱自在に保持させ、前記媒体保持部から引き出し可能な前記表示媒体を前記昇降体に着脱自在に保持させる媒体装着機構と、
アクチュエータの駆動力によって前記昇降体に保持された表示媒体の巻き取り及び巻き戻しを行なう巻回機構と、
前記プロジェクタのドライバに画像データを送信する入出力回路を備え、前記通信回線網を介して前記ホストコンピュータから受信した指令に従い、当該指令に応じた前記提供情報領域を前記媒体保持部と前記昇降体との間に位置付けるように前記アクチュエータを駆動制御すると共に、前記ホストコンピュータから受信した画像データを前記入出力回路から出力する制御部と、
を備える情報提供装置。
【請求項６】
電柱に取り付けられた基部に、プロジェクタの投影画像を映し出すスクリーンを含む複数の提供情報領域を長手方向に配列する表示媒体をロール状に巻回保持すると共に引き出された前記表示媒体をゼンマイの力を利用して巻き戻す巻戻し機構を有する媒体保持部を保持させる工程と、
前記基部に昇降自在に設けられて斜め下方に向けて映像を投影する前記プロジェクタを有する昇降体に、前記媒体保持部から引き出した前記表示媒体を保持させる工程と、
前記基部に設けられて駆動力を受ける受動部に生じた回転運動を前記昇降体の昇降運動に変換して伝達することで前記昇降体を昇降させ、前記提供情報領域を前記媒体保持部と前記昇降体との間に位置付ける工程と、
通信回線網を介してホストコンピュータから受信した指令に従い、当該指令に応じた前記提供情報領域を前記媒体保持部と前記昇降体との間に位置付けるように前記昇降体に保持された表示媒体の巻き取り及び巻き戻しを行なう巻回機構の駆動源であるアクチュエータを駆動制御すると共に、前記ホストコンピュータから受信した画像データを前記プロジェクタのドライバに画像データを送信する入出力回路から出力する工程と、
を備える情報提供方法。
【発明の詳細な説明】
【技術分野】
【０００１】
本発明は、電柱を利用して広告や地域情報等の各種の情報を情報提供装置に提供させる情報提供システム、このシステムで使用する情報提供装置、及び情報提供方法に関する。
【背景技術】
【０００２】
電柱に広告看板を取り付け、電柱を広告塔として利用することが従来から行なわれている。このような広告看板は、一般的には電柱に対して固定的に取り付けられるため、その設置作業及び撤去作業を手軽に行なうことができない。このため、一度設置された広告看板は、ある程度長期に渡り設置され続けることになる。
【０００３】
これに対して、特許文献１には、高所に設置する大型看板を昇降自在とし、手動によって看板の上げ下げを行なうことができるようにした技術が開示されている。このような技術を利用すれば、電柱に設置する広告看板のメンテナンスや広告の入れ替え作業を容易に行なうことができることであろう。
【先行技術文献】
【特許文献】
【０００４】
【特許文献１】実開平７−１６９７３号公報
【特許文献２】特開２００３−２１６０８２公報
【特許文献３】特開２００２−２４４５８３公報
【特許文献４】特開２００５−７０７４０公報
【発明の概要】
【発明が解決しようとする課題】
【０００５】
特許文献１に記載されている広告看板の昇降機構は、比較的大掛かりな構造物となっている。このため、とりわけ広告看板における広告の入れ替え作業については、固定看板と比較すれば容易であるものの、手放しで手軽であるという評価を下すことはできない。
【０００６】
また、広告看板については、比較的短いスパン、例えば一日のうちの時間帯単位で広告内容を入れ替えたいという要望もある。ところが、特許文献１に記載されている広告看板の昇降機構は、人間が手動操作で広告看板を上げ下げするものであるので、短いスパンでの広告の入れ替えという要望には、事実上応えることができない。
【０００７】
これに対して、特許文献２は、可変情報を表示し得る広告表示装置に対して広告データを配信し、広告表示を適宜変更できるようにした技術を開示している。また、特許文献３は、大型のペーパーディスプレイを電柱に設置することを開示し（特許文献３の段落００７２参照）、特許文献４は、広告表示媒体としての有機ＥＬディスプレイやプロジェクタの利用を開示している（特許文献４の段落０００１〜００１７等参照）。しかしながら、特許文献１〜３に記載されている類の広告表示装置を電柱に設置するとなると、社会インフラ整備にかかる費用が莫大なものとなることが明らかで、現実味が薄い。しかも、特許文献４に記載されている有機ＥＬディスプレイやプロジェクタを利用しての情報提供ということになると、夜間においては演色性が高まり好ましい反面、昼間においては視認性が劣るという問題もある。この点については、特許文献４においても、プロジェクタを利用した場合に昼間の訴求力が弱いことが指摘されている（特許文献４の段落００１１参照）。
【０００８】
本発明は、このような点に鑑みなされたもので、表示媒体の入れ替え作業を手軽にできるようにすると共に、社会インフラ整備に莫大な資金を投入することなく表示媒体による提供情報の内容を随時変更できるようにし、しかも、昼間等には提供情報の視認性を維持して夜間等には提供情報の提供に際して演色性を生じさせることを目的とする。
【課題を解決するための手段】
【０００９】
本発明の一態様は、電柱に設置され、通信回線網を介して外部機器と通信可能な複数個の情報提供装置と、前記通信回線網を介して前記情報提供装置と通信し、前記情報提供装置を制御するホストコンピュータと、を備え、前記情報提供装置は、電柱に取り付けられる基部と、前記基部に設けられて斜め下方に向けて映像を投影するプロジェクタを有する昇降体を昇降自在に支持する昇降機構と、前記基部に設けられて駆動力を受ける受動部の回転運動を前記昇降体の昇降運動に変換する動力変換機構と、前記プロジェクタの投影画像を映し出すスクリーンを含む複数の提供情報領域を長手方向に配列する表示媒体をロール状に巻回保持すると共に引き出された前記表示媒体をゼンマイの力を利用して巻き戻す巻戻し機構を有する媒体保持部を前記昇降体の下方位置で前記基部に着脱自在に保持させ、前記媒体保持部から引き出し可能な前記表示媒体を前記昇降体に着脱自在に保持させる媒体装着機構と、アクチュエータの駆動力によって前記昇降体に保持された表示媒体の巻き取り及び巻き戻しを行なう巻回機構と、前記プロジェクタのドライバに画像データを送信する入出力回路を備え、前記通信回線網を介して前記ホストコンピュータから受信した指令に従い前記アクチュエータを駆動制御すると共に前記ホストコンピュータから受信した画像データを前記入出力回路から出力する制御部と、を備え、前記ホストコンピュータは、記憶領域に個々の前記情報提供装置毎に登録されている現在装着中の前記表示媒体に含まれている前記提供情報領域と提供期間との間の対応関係定義を参照し、現在の提供期間に対応する前記提供情報領域を前記媒体保持部と前記昇降体との間に位置付けるための前記アクチュエータの駆動制御情報を生成する手段と、現在が前記プロジェクタによる画像投影を実行しない第１の状態なのか画像投影を実行する第２の状態なのかを判定する手段と、前記第１の状態であると判定した場合には前記生成した駆動制御情報を、前記第２の状態であると判定した場合には前記生成した駆動制御情報に前記プロジェクタに投影させる画像データを伴わせて、それぞれ対応する前記情報提供装置に宛て前記通信回線網によって配信する手段と、を備える情報提供システムによって上記課題を解決する。
【００１０】
本発明の別の一態様は、電柱に取り付けられる基部と、前記基部に設けられて斜め下方に向けて映像を投影するプロジェクタを有する昇降体を昇降自在に支持する昇降機構と、前記基部に設けられて駆動力を受ける受動部の回転運動を前記昇降体の昇降運動に変換する動力変換機構と、前記プロジェクタの投影画像を映し出すスクリーンを含む複数の提供情報領域を長手方向に配列する表示媒体をロール状に巻回保持すると共に引き出された前記表示媒体をゼンマイの力を利用して巻き戻す巻戻し機構を有する媒体保持部を前記昇降体の下方位置で前記基部に着脱自在に保持させ、前記媒体保持部から引き出し可能な前記表示媒体を前記昇降体に着脱自在に保持させる媒体装着機構と、アクチュエータの駆動力によって前記昇降体に保持された表示媒体の巻き取り及び巻き戻しを行なう巻回機構と、前記プロジェクタのドライバに画像データを送信する入出力回路を備え、前記通信回線網を介して前記ホストコンピュータから受信した指令に従い、当該指令に応じた前記提供情報領域を前記媒体保持部と前記昇降体との間に位置付けるように前記アクチュエータを駆動制御すると共に、前記ホストコンピュータから受信した画像データを前記入出力回路から出力する制御部と、を備える情報提供装置によって上記課題を解決する。
【００１１】
本発明の更に別の一態様は、電柱に取り付けられる基部に、プロジェクタの投影画像を映し出すスクリーンを含む複数の提供情報領域を長手方向に配列する表示媒体をロール状に巻回保持すると共に引き出された前記表示媒体をゼンマイの力を利用して巻き戻す巻戻し機構を有する媒体保持部を保持させる工程と、前記基部に昇降自在に設けられて斜め下方に向けて映像を投影する前記プロジェクタを有する昇降体に、前記媒体保持部から引き出した前記表示媒体を保持させる工程と、前記基部に設けられて駆動力を受ける受動部に生じた回転運動を前記昇降体の昇降運動に変換して伝達することで前記昇降体を昇降させ、前記提供情報領域を前記媒体保持部と前記昇降体との間に位置付ける工程と、通信回線網を介してホストコンピュータから受信した指令に従い、当該指令に応じた前記提供情報領域を前記媒体保持部と前記昇降体との間に位置付けるように前記昇降体に保持された表示媒体の巻き取り及び巻き戻しを行なう巻回機構の駆動源であるアクチュエータを駆動制御すると共に、前記ホストコンピュータから受信した画像データを前記プロジェクタのドライバに画像データを送信する入出力回路から出力する工程と、を備える情報提供方法によって上記課題を解決する。
【発明の効果】
【００１２】
本発明によれば、昇降体の昇降に応じて表示媒体の設置及び撤去が可能となり、また、設置後の表示媒体を巻き取ったり巻き戻したりすれば所望の情報提供領域を随時出現させ、例えば夜間にはスクリーンを出現させてプロジェクタでホストコンピュータから受信した画像データを投影することができ、したがって、表示媒体を手軽に入れ替えることができると共に、社会インフラ整備に莫大な資金を投入することなく表示媒体による提供情報の内容を随時変更することができ、しかも、昼間等には表示媒体の情報提供領域に予め描かれている提供情報を出現させてその視認性を維持し、夜間等にはプロジェクタの投影画像による演色効果を生じさせることができる。
【図面の簡単な説明】
【００１３】
【図１】情報提供装置の外観を示す側面図である。
【図２】情報提供装置の外観を示す正面図である。
【図３】使用の一態様を示す情報提供装置の側面図である。
【図４】（ａ）は表示媒体が収納されている状態、（ｂ）は表示媒体が少し引き出された状態をそれぞれ示す媒体保持部の斜視図である。
【図５】昇降体を昇降駆動するための鍵付きハンドルを示す斜視図である。
【図６】情報提供装置の縦断側面図である。
【図７】情報提供装置の横断平面図である。
【図８】昇降機構の分解斜視図である。
【図９】昇降体、昇降機構及び巻回機構の縦断側面図である。
【図１０】昇降体において表示媒体を保持する媒体保持筒と昇降体のフロントパネルの裏面側との分解斜視図である。
【図１１】ホストコンピュータと複数個の情報提供装置とを含む全体のシステム構成を示すブロック図である。
【図１２】ホストコンピュータのハードウェア構成を示すブロック図である。
【図１３】記憶領域に登録されている対応関係定義の一例を示す模式図である。
【図１４】リザーブ定義の一例を示す模式図である。
【図１５】情報提供装置の各部の電気的接続を示すブロック図である。
【図１６】表示媒体を全て引き出した状態の一例を示す媒体保持部及び表示媒体の正面図である。
【図１７】ある情報提供装置について記憶領域に登録されている対応関係定義とこの対応関係定義に従い提供される提供情報との対応関係を例示する模式図である。
【図１８】対応関係定義に従いプロジェクタによりスクリーンに映し出される表示画像を例示する模式図である。
【図１９】ホストコンピュータのＣＰＵが実行する表示媒体設定処理の流れを示すフローチャートである。
【図２０】ホストコンピュータのＣＰＵが実行する表示媒体設置処理の流れを示すフローチャートである。
【図２１】ホストコンピュータのＣＰＵが実行する表示媒体変更処理の流れを示すフローチャートである。
【発明を実施するための形態】
【００１４】
実施の一形態を図１ないし図２１に基づいて説明する。
【００１５】
本実施の形態は、複数個の情報提供装置１０１と情報提供装置１０１から見て外部機器であるホストコンピュータ２０１とが通信回線網３０１を介して通信自在に接続された情報提供システム１００１（図１１参照）への適用例である。ここでは、最初に情報提供装置１０１について詳しく説明し、次いでシステムの説明へと入っていく。
【００１６】
図１は、情報提供装置１０１の外観を示す側面図、図２は、情報提供装置１０１の外観を示す正面図である。本実施の形態の情報提供装置１０１は、電柱１１に対して、金属ベルト１２とサポート１３とによって取り付けられている。情報提供装置１０１は、矩形筐体状の基部１０２の下部に外灯１０３を取り付け、外灯１０３の上方位置に一対のプロジェクタＰＪを搭載した昇降体１０４を昇降自在に設け、昇降体１０４の昇降動作に応じて広告や地域情報の提供に用いられる表示媒体３１を設置できるようにしている。つまり、情報提供装置１０１において、昇降体１０４はハンドル５１の回転操作によって上げ下げ可能である。そこで、表示媒体３１を巻き物のようにして保持する媒体保持部３２を基部１０２の正面下方から飛び出す設置棒１０５にセットし、昇降体１０４には表示媒体３１の端部に設けられたバー３３をセットする。この状態で、基部１０２の側部に設けた錠部１０６にハンドル５１の鍵部５２（図５参照）を差し込み、ハンドル５１を回転操作する。すると、昇降体１０４が上昇し、媒体保持部３２から表示媒体３１が引き出されて出現する。
【００１７】
情報提供装置１０１は、その錠部１０６の位置が地表面から２ｍ程度の高さの位置に設置される。そこで、設置棒１０５に対して媒体保持部３２を着脱したり錠部１０６に取り付けたハンドル５１を回転させたりするに際して、作業者は、脚立等に乗って作業を行なうことになる。
【００１８】
図３は、使用の一態様を示す情報提供装置１０１の側面図である。図３に一例を示すように、表示媒体３１には広告や地域情報等の提供情報Ｉが描かれている。そこで、情報提供装置１０１は、昇降体１０４と媒体保持部３２との間に表示媒体３１を出現させることで、提供情報Ｉを表示して広告宣伝機能、情報提供機能を果たすことができる。
【００１９】
更に、情報提供装置１０１は、比較的低所に外灯１０３を有している。このように低所に配された外灯１０３によって、電柱１１の近くを通行する者の足元を照らす効果が生まれる。そこで、外灯１０３としてＬＥＤ照明装置等のような演色性が期待できる照明を用いることにより、今までにない独特な照明空間を発生させることができる。
【００２０】
以下、情報提供装置１０１の詳細を説明する。
【００２１】
図４（ａ）は表示媒体３１が収納されている状態、図４（ｂ）は表示媒体３１が少し引き出された状態をそれぞれ示す媒体保持部３２の斜視図である。表示媒体３１は、筒状の媒体保持部３２の内部で中空であって回転自在の中心軸（図示せず）に巻き込まれた状態で保持されており、その端部に設けられたバー３３を持って引き出すことで引き出し可能となっている（図４（ｂ）参照）。媒体保持部３２は、引き出した表示媒体３１をゼンマイ（図示せず）の力で巻き戻すことができる。そのための構造として、媒体保持部３２は、その一端側にゼンマイを巻き戻し動力源とする巻戻し機構（図示せず）を内蔵する巻戻し部３４を有している。巻戻し部３４の内部では、表示媒体３１が引き出されるにつれてゼンマイが巻かれていき、巻かれたゼンマイは初期状態への復元力を蓄える。これにより、引き出した表示媒体３１をフリーな状態にすると、巻かれたゼンマイの復元力によって表示媒体３１が巻き戻されて媒体保持部３２に収納される。このような媒体保持部３２は、巻戻し部３４と反対側の端部にセット部３５を有している。セット部３５は、表示媒体３１を保持する前述の中心軸の中空部分に連通するセット孔３６を有し、その周囲に一対のフック溝３７を有している。フック溝３７は、セット孔３６の軸を中心とする円周上に位置する溝であり、それらの一端は溝よりも径が大きな大径部３７ａとなっている。
【００２２】
表示媒体３１は、複数の提供情報領域ＩＡを備えている（図１６参照）。個々の提供情報領域ＩＡには、提供情報Ｉが描かれている（図１６参照）。また、本実施の形態の表示媒体３１は、プロジェクタＰＪの投影画像を投影するスクリーンとしての白紙シートＷＳを含んでいる（図１６参照）。情報提供装置１０１は、昇降体１０４に搭載する一対のプロジェクタＰＪによって白紙シートＷＳの両面にプロジェクタ画像を投影させることができる。この場合に表示する画像は、ホストコンピュータ２０１から受信した画像データに基づく画像である。したがって、本実施の形態のシステムは、ホストコンピュータ２０１から個々の情報提供装置１０１に画像データを配信し、この画像データを情報提供装置１０１にて白紙シートＷＳにプロジェクタ画像を投影させることができる。
【００２３】
図１及び図２に示すように、情報提供装置１０１の基部１０２は、その正面下方に、媒体保持部３２をセットして保持できるようにした棒状の設置棒１０５を突出させている。設置棒１０５は、媒体保持部３２のセット孔３６に嵌合する径に形成され、媒体保持部３２の内部でその中心軸（図示せず）の中空部分にも嵌合する。図１中、設置棒１０５の上下に示されているのは、設置棒１０５にセットされた媒体保持部３２を抜け止めするためのフックピン１０７である。これらのフックピン１０７は、設置棒１０５に媒体保持部３２がセットされると、媒体保持部３２のセット部３５に形成されている一対のフック溝３７に嵌合する位置に形成されている。そして、フックピン１０７は、その頭部が大径となっている。この大径の頭部は、フック溝３７の大径部３７ａには挿通して溝部には挿通しない径に定められている。そこで、設置棒１０５に対する媒体保持部３２のセット作業時、フック溝３７の大径部３７ａをフックピン１０７に位置合わせして媒体保持部３２を押し込み右回転させると、媒体保持部３２は設置棒１０５に確実に保持される。
【００２４】
図２に示すように、情報提供装置１０１の基部１０２は、その中央部に縦長の長孔１０８を有しており、この長孔１０８に沿って昇降体１０４を移動させる。長孔１０８は、設置棒１０５を通る鉛直線上に形成されている。また、昇降体１０４において、一対のプロジェクタＰＪは長孔１０８を間にして左右に配置されている。これらのプロジェクタＰＪは、液晶パネル（図示せず）によって自由に投影画像の形成が可能であり、そのドライブ回路ＤＣも内蔵している。
【００２５】
更に、図１〜図３に示すように、基部１０２の上部にはスピーカ１３１が取り付けられている。
【００２６】
図５は、昇降体１０４を昇降駆動するための鍵付きのハンドル５１を示す斜視図である。ハンドル５１は、ハンドルアーム５３の一端側に把持部５４を突出させ、ハンドルアーム５３の他端側に鍵部５２を突出させて設けている。ハンドルアーム５３の面のうち、鍵部５２の突出面と把持部５４の突出面とは互いに反対側となっている。鍵部５２は、情報提供装置１０１の側に設けられた錠部１０６に差し込むことができる鍵である。したがって、錠部１０６及び鍵部５２は、用意に真似されない形状に形成されていることが望ましい。また、図１及び図３は、情報提供装置１０１の左側面を示しているために右側面は示されないが、錠部１０６は、基部１０２の左側面のみならず、両側面に形成されていても良い。これにより、右利き及び左利きのいずれの利き腕の作業者にも使い勝手が良いものとなる。
【００２７】
図６は、情報提供装置１０１の縦断側面図、図７は、情報提供装置１０１の横断平面図である。昇降体１０４は、長孔１０８が形成された基部１０２の基部フロントパネル１０９に三対のローラ対１１０によって三点支持される昇降機構１１１を一体的に有している（図８も参照のこと）。この昇降機構１１１については、図８に基づいて後述する。ハンドル５１の回転操作に基づいて昇降機構１１１に昇降動作を与えているのは、巻き掛け伝動機構である動力変換機構１１２である。つまり、基部１０２は、その内部上下位置に一対のプーリ１１３を設けている。これらのプーリ１１３は、基部１０２に回転自在に取り付けられて互いに水平配置された一対の支軸１１４に固定され、支軸１１４の回転と共に回転自在である。これらのプーリ１１３には、ワイヤＷが掛け渡されており、これによって巻き掛け伝動機構が構成されている。そこで、昇降機構１１１に設けた連結体１１５をワイヤＷに連結固定することで（図９も参照のこと）、一対のプーリ１１３の回転運動を昇降体１０４の昇降運動に変換して伝達することが可能となる。本実施の形態においては、下方に位置する下部支軸１１４ａに、基部１０２の側面に設けられた鍵部５２を連結している。これにより、下部支軸１１４ａが駆動力を受ける受動部となり、ハンドル５１の回転操作によって生ずる回転駆動力に従い下部支軸１１４ａが回転する。動力変換機構１１２は、受動部である下部支軸１１４ａの回転運動を上方に位置する支軸１１４と共にワイヤＷに伝達してワイヤＷを回転させ、これによって昇降体１０４を昇降させる。つまり、受動部である下部支軸１１４ａの回転運動を昇降体１０４の昇降運動に変換するわけである。
【００２８】
図８は、昇降機構１１１の分解斜視図である。昇降機構１１１は、主フレーム１１６に三対のローラ対１１０が固定されて形成されている。ローラ対１１０のうち、二対は基部１０２の基部フロントパネル１０９の外部側に配置され、一対は基部フロントパネル１０９の内部側に配置される。基部フロントパネル１０９の外部側に配置される二対のローラ対１１０は、それぞれ、外側ローラフレーム１１７の上下に回転自在に取り付けられた一対のローラＲである。基部フロントパネル１０９の内側に配置される一対のローラ対１１０は、内側ローラフレーム１１８の左右に回転自在に取り付けられた一対のローラＲである。そして、外側ローラフレーム１１７は、主フレーム１１６の上下幅と同一寸法の上下幅を有する接合部１１９を有し、この接合部１１９を接合させて主フレーム１１６に固定されている。また、内側ローラフレーム１１８は、円筒状の連結筒１２０を介して主フレーム１１６に固定されている。連結筒１２０は、基部フロントパネル１０９に形成された長孔１０８を通り、基部フロントパネル１０９の外側においては主フレーム１１６に連結固定され、基部フロントパネル１０９の内側においては内側ローラフレーム１１８に連結固定される。そして、主フレーム１１６に対する外側ローラフレーム１１７及び内側ローラフレーム１１８の固定は、一例としてネジ止めによってなされる。そのために、それらの主フレーム１１６、外側ローラフレーム１１７及び内側ローラフレーム１１８には、ネジ通しのためのネジ通し孔ＴＨが複数個形成されている。また、主フレーム１１６は、その両側が直角に屈曲形成され、この屈曲部分に昇降体１０４との間の連結固定片１２１を有している。昇降体１０４との間の連結固定も、一例としてネジ止めによってなされる。そこで、連結固定片１２１にも、複数個のネジ通し孔ＴＨが形成されている。
【００２９】
上記昇降機構１１１の構成において重要なことは、連結筒１２０の長さである。連結筒１２０の長さは、基部フロントパネル１０９の外側に配置されるローラ対１１０のローラＲと内側に配置されるローラ対１１０のローラＲとの間のクリアランスを決める。この点、図７に示すように、それらの基部フロントパネル１０９の内外のローラＲ間のクリアランスは、基部フロントパネル１０９の厚み分として規定されていなければならない。そこで、連結筒１２０は、基部フロントパネル１０９の内外のローラＲ間のクリアランスを基部フロントパネル１０９の厚み分とする長さに設定されている。
【００３０】
以上説明したように、昇降機構１１１は、昇降体１０４に一体的に固定され、基部フロントパネル１０９の内外で三対のローラ対１１０によって三点支持され、昇降体１０４を昇降自在に支持する。
【００３１】
図９は、昇降体１０４、昇降機構１１１及び巻回機構１４３の縦断側面図、図１０は、昇降体１０４において表示媒体３１を保持する媒体保持筒１２２と昇降体１０４のフロントパネル１２３の裏面側との分解斜視図である。図９を参照することで、昇降機構１１１における主フレーム１１６と連結筒１２０と内側ローラフレーム１１８との間の連結結合構造が明らかとなる。つまり、これらの主フレーム１１６と連結筒１２０と内側ローラフレーム１１８とは、昇降体１０４の内部側からそれらを挿通する長ネジＬＳがボルトＢによって止められることで、一体に連結結合されている。
【００３２】
次いで、昇降体１０４は、表示媒体３１のバー３３を着脱自在に保持する構造として、媒体保持筒１２２を有している。媒体保持筒１２２は、表示媒体３１のバー３３を挿入可能な一端開口の筒状部材である。媒体保持筒１２２は、昇降体１０４の内部において、一対のプロジェクタＰＪの間の部分となる中央部分に配置されており（図７も参照のこと）、先端側を昇降体１０４のフロントパネル１２３に固定されたアダプタ１２４に、後端側をボトムパネル１２５に固定されたホルダ１４１にそれぞれ回転自在に支持されている。つまり、図１０に示すように、フロントパネル１２３においては、その裏面に媒体保持筒１２２が嵌合するアダプタ１２４が固定されており、媒体保持筒１２２はアダプタ１２４に回転自在に嵌合して支持されている。また、ホルダ１４１に回転自在に支持された媒体保持筒１２２の後端側には、ホルダ１４１よりも媒体保持筒１２２の先端側に位置させてＥリング１４２が装着されている。これにより、媒体保持筒１２２は、その軸方向への変位が規制されている。
【００３３】
昇降体１０４のフロントパネル１２３及びアダプタ１２４とボトムパネル１２５、それに媒体保持筒１２２には、表示媒体３１を通すためのスリット１２３ａ、１２４ａ、１２５ａ、１２２ａが形成されており、全体として装着用スリット１２６を形成している。この装着用スリット１２６は、設置棒１０５を含む鉛直線上に位置付けられている（図２参照）。
【００３４】
そして、図２に示すように、昇降体１０４には、フロントパネル１２３、アダプタ１２４及び媒体保持筒１２２を通り、表示媒体３１のバー３３をフロントパネル１２３の前面から挿入するための媒体装着孔ＳＨが形成されている。
【００３５】
また、昇降体１０４は、回転自在に支持した媒体保持筒１２２を回転駆動するための巻回機構１４３を内蔵している。この巻回機構１４３は、減速機構１４４を介して、アクチュエータとしてのモータＭの回転駆動力を媒体保持筒１２２に伝達するための機構である。減速機構１４４は、歯車列によって形成され、モータＭの回転数を減速して媒体保持筒１２２に伝達する。媒体保持筒１２２には、減速機構１４４の一部をなす従動ギア１４５が固定されている。
【００３６】
図９中には図示しないが、昇降体１０４には、媒体保持筒１２２の回転位置を検出するための位置センサＳ（図１５参照）が組み込まれている。昇降体１０４においては、表示媒体３１のバー３３を媒体装着孔ＳＨに挿入して装着するに際して、媒体保持筒１２２に形成されているスリット１２２ａが必ず真下を向いていなければならない。位置センサＳは、媒体保持筒１２２のスリット１２２ａが真下を向いているかどうかを検出するセンサである。一例として、位置センサＳとして反射型光電センサを用い、媒体保持筒１２２にはそのスリット１２２ａが真下を向いた場合に反射型光電センサに反応を生じさせるマークを印しておく。マークは、通常よりも反射率が高くなるもの、あるいは反対に反射率が低くなるものを用いることができる。
【００３７】
本実施の形態の情報提供装置１０１は、こうして媒体保持筒１２２を回転駆動することによって、媒体保持筒１２２にバー３３がセットされている表示媒体３１を巻き取り、あるいは巻き戻し、表示媒体３１中の所望の提供情報領域ＩＡ（図１６、図１７参照）を昇降体１０４の直下に出現させることを可能にしている。
【００３８】
ここで、前述した設置棒１０５及びフックピン１０７は、媒体保持部３２を昇降体１０４の下方位置で基部１０２に着脱自在に保持させるという役割を担っている。また、媒体保持筒１２２、媒体装着孔ＳＨ及び装着用スリット１２６は、媒体保持部３２から引き出された表示媒体３１を昇降体１０４に着脱自在に保持させる役割を担っている。そこで、これらの設置棒１０５、フックピン１０７、媒体保持筒１２２及び装着用スリット１２６は、表示媒体３１及びこれを保持する媒体保持部３２を情報提供装置１０１にセットし保持するための媒体装着機構１２７を構成している。
【００３９】
次いで、情報提供システム１００１のシステム説明に移る。
【００４０】
図１１は、ホストコンピュータ２０１と複数個の情報提供装置１０１とを含む全体のシステム構成を示すブロック図である。本実施の形態の情報提供システム１００１は、複数個の情報提供装置１０１とホストコンピュータ２０１とよりなり、これらのホストコンピュータ２０１と個々の情報提供装置１０１とが通信回線網３０１を介して通信自在に接続されて構築されている。
【００４１】
本実施の形態の情報提供システム１００１は、個々の情報提供装置１０１について、これらの情報提供装置１０１が昇降体１０４の直下に出現させて表示すべき表示媒体３１の提供情報領域ＩＡをホストコンピュータ２０１によって一元管理する。そのための仕組みを以下説明する。
【００４２】
図１２は、ホストコンピュータ２０１のハードウェア構成を示すブロック図である。ホストコンピュータ２０１は、各種演算処理を実行するＣＰＵ２０２を中核として構成されている。ＣＰＵ２０２には、ＢＩＯＳ等の固定データを固定的に格納するＲＯＭ２０３、可変データを書き換え自在に記憶してワークエリアとしても利用されるＲＡＭ２０４、大容量のＨＤＤ２０５、キーボードやポインティングデバイス等の入力装置２０６、ＬＣＤ等の表示装置２０７、そして通信インターフェース２０８が接続されている。ホストコンピュータ２０１は、本実施の形態の情報提供システム１００１のための各種のコンピュータプログラムをＨＤＤ２０５にインストールしており、これらのコンピュータプログラムの全部又は一部はＲＡＭ２０４にコピーされてＣＰＵ２０２のアクセスに供している。通信インターフェース２０８は、通信回線網３０１を介して複数個の情報提供装置１０１とデータ通信するためのプロトコルをサポートしている。
【００４３】
図１３は、ＲＡＭ２０４の記憶領域に登録されている対応関係定義ＲＤの一例を示す模式図である。対応関係定義ＲＤは、ホストコンピュータ２０１がインストールしているコンピュータプログラムによってＲＡＭ２０４の記憶領域に生成されるデータである。このような対応関係定義ＲＤは、前述したホストコンピュータ２０１による個々の情報提供装置１０１の表示制御を実現させるための肝となるデータである。つまり、対応関係定義ＲＤは、個々の情報提供装置１０１毎に、１時間を単位とする時間帯毎に出現させるべき提供情報領域ＩＡを定義している。ホストコンピュータ２０１は、上記コンピュータプログラムに従い、個々の情報提供装置１０１毎に、時間帯毎の提供情報領域ＩＡの入力及び登録を行なうことができる。また、ホストコンピュータ２０１のＣＰＵ２０２は、上記コンピュータプログラムに従い、対応関係定義ＲＤに基づく動作指令を含む駆動制御情報を生成し、生成した駆動制御情報を対応する情報提供装置１０１に配信する。こうして、個々の情報提供装置１０１が昇降体１０４の直下に出現させるべき表示媒体３１の提供情報領域ＩＡをホストコンピュータ２０１が一元的に決定し管理することができる。
【００４４】
図１４は、リザーブ定義ＶＤの一例を示す模式図である。このリザーブ定義ＶＤも、対応関係定義ＲＤと同様に、ホストコンピュータ２０１がインストールしているコンピュータプログラムによってＲＡＭ２０４の記憶領域に生成されるデータである。このようなリザーブ定義ＶＤは、上記対応関係定義ＲＤ中、１時間単位で設定登録可能な提供情報領域ＩＡの枠を制限する予めリザーブされた情報を定義している。定義されている情報は、予め決められた提供情報Ｉ及び時間帯に対する情報提供装置１０１の識別コードである。一例として、図１４には、予め決められた提供情報Ｉ及び時間帯として、
夜間・早朝注意報知    ０：００〜  ６：００
スクールゾーン報知    ７：００〜  ９：００
監視カメラ報知      １４：００〜１６：００
が例示されている。リザーブ定義ＶＤは、このような予め決められた提供情報Ｉ及び時間帯に対して、情報提供装置１０１の識別コードを自由に設定できるデータ構造を有している。ホストコンピュータ２０１のＣＰＵ２０２は、上記コンピュータプログラムに従い、リザーブ定義ＶＤに定義されている所望の提供情報Ｉ及び時間帯に対して、所望の情報提供装置１０１の識別コードを入力し登録することがきる。上記コンピュータプログラムは、リザーブ定義ＶＤに定義された情報提供装置１０１を図１３に示す対応関係定義ＲＤに反映し（図１３中にハッチングで示す）、対応関係定義ＲＤでの自由な設定を制限するようにホストコンピュータ２０１を動作させる。
【００４５】
図１５は、情報提供装置１０１の各部の電気的接続を示すブロック図である。情報提供装置１０１は、基部１０２に制御回路１５１を内蔵している。制御回路１５１は、情報処理を実行して各部を集中的に制御する制御部１５２を主体として、この制御部１５２に、メモリ１５３、通信回路１５４、モータ駆動回路１５５、設置センサ１５６、音声合成回路１５７、及びＩ／Ｏ１５８が接続されて構成されている。
【００４６】
制御部１５２は、一例として、予め決められたシーケンスを実行する回路が印刷された半導体チップによって構成されている。もっとも、情報処理機能を有していれば、そのような半導体チップ構成のものでなくても良い。
【００４７】
メモリ１５３は、制御部１５２と共に１チップ化されていても、制御部１５２とは別体で用意されたものであっても良い。
【００４８】
通信回路１５４は、通信回線網３０１を介してホストコンピュータ２０１とデータ通信するための回路である。
【００４９】
モータ駆動回路１５５は、媒体保持筒１２２を回転駆動するためのモータＭを駆動するための回路である。また、本実施の形態では、モータ駆動回路１５５に、位置センサＳの出力を取り込むための回路が組み込まれている。
【００５０】
設置センサ１５６は、情報提供装置１０１に媒体保持部３２及び表示媒体３１が装着されて昇降体１０４が所期の上昇位置まで上げられたかどうかを検出するセンサである。つまり、設置センサ１５６は、設置棒１０５及びフックピン１０７に媒体保持部３２が正しく装着されたこと、昇降体１０４の媒体保持筒１２２に表示媒体３１のバー３３が正しく装着されたこと、そして昇降体１０４が所期の上昇位置まで上げられたこと、の三つの物理現象を検出し、検出結果を出力する。このような設置センサ１５６としては、リレースイッチを利用したセンサ、マイクロスイッチを利用したセンサ、光電センサ等、従来の各種のセンサを用いることができる。
【００５１】
音声合成回路１５７は、音声データに基づいて音声を合成する音声合成ＬＳＩを含み、音声合成ＬＳＩの出力をアナログ信号に変換して増幅し、スピーカ１３１から音声発生させる回路である。
【００５２】
Ｉ／Ｏ１５８は、プロジェクタＰＪに対するデータ入出力用である。Ｉ／Ｏ１５８は、プロジェクタＰＪのドライブ回路ＤＣに接続している。
【００５３】
情報提供装置１０１の制御部１５２は、通信回路１５４を介してホストコンピュータ２０１から画像データを受信した場合、受信した画像データをメモリ１５３に保存する。そして、制御部１５２は、メモリ１５３に保存した画像データをＩ／Ｏ１５８に出力することができるように回路構成されている。プロジェクタＰＪのドライブ回路ＤＣは、Ｉ／Ｏ１５８から出力された画像データに従いプロジェクタＰＪの液晶パネルに画像を形成する。プロジェクタＰＪは、液晶パネルの画像を表示媒体３１が有する白紙シートＷＳに投影する。
【００５４】
図１６は、ある情報提供装置１０１に装着されている表示媒体３１を全て引き出した状態の一例を示す媒体保持部３２及び表示媒体３１の正面図である。本実施の形態では、表示媒体３１に複数の提供情報領域ＩＡが予め用意されている。図１６に示す一例では、７個の提供情報領域ＩＡが用意されている。そのうちの一つは、白紙シートＷＳである。白紙シートＷＳは、一例として、バー３３に最も近い位置に配置されており、デフォルトの提供情報領域ＩＡとなっている。
【００５５】
図１７は、図１６に例示する表示媒体３１が装着されている情報提供装置１０１について、ホストコンピュータ２０１が管理する対応関係定義ＲＤに登録されている提供情報領域ＩＡの番号とこの対応関係定義ＲＤに従い提供される提供情報Ｉとの対応関係を例示する模式図である。図１７に示す対応関係定義ＲＤの一例では、
０時〜  ５時の時間帯はデフォルト値（Ｐ１の画像）
５時〜  ７時の時間帯は１番の提供情報領域ＩＡ
７時〜  ９時の時間帯は２番の提供情報領域ＩＡ
９時〜１１時の時間帯は４番の提供情報領域ＩＡ
１１時〜１３時の時間帯は５番の提供情報領域ＩＡ
１３時〜１４時の時間帯は６番の提供情報領域ＩＡ
１４時〜１６時の時間帯は３番の提供情報領域ＩＡ
１６時〜１７時の時間帯は５番の提供情報領域ＩＡ
１７時〜１８時の時間帯はデフォルト値
１８時〜２０時の時間帯はデフォルト値（Ｐ２の画像）
２０時〜２２時の時間帯はデフォルト値（Ｐ３の画像）
２２時〜２４時の時間帯はデフォルト値（Ｐ１の画像）
がそれぞれ登録されている。これらの提供情報領域ＩＡは、情報提供装置１０１において昇降体１０４の直下に出現させるべき表示媒体３１の提供情報領域ＩＡを意味している。そして、図１７に示す対応関係定義ＲＤの一例では、５時〜１８時の時間帯は表示媒体３１の提供情報領域ＩＡに予め描かれた提供情報Ｉを出現させ、０時〜５時及び１８時〜２４時の時間帯は、デフォルトの提供情報領域ＩＡをなす白紙シートＷＳを出現させてプロジェクタＰＪに画像投影を行なわせるようデータ登録がなされている。
【００５６】
前述したように、デフォルトの提供情報領域ＩＡは、白一色の白紙シートＷＳである。このように白一色の表示内容であったとしても、それが表示されると見る者に何らかの内的変化が生ずる。例えば、ある者は牛乳を思い出すかもしれないし、別の者はチーズケーキの匂いを直感するかもしれない。更に別の者は、意識化において何も感じずとも、無意識下において清浄感を感ずるかもしれない。つまり、白一色の表示内容であっても、その表示内容は見る者に何らかの情報を伝達していることになる。したがって、ここでは、デフォルトの提供情報領域ＩＡである白紙シートＷＳにも提供情報Ｉが示されている、更にいうと提供情報Ｉが描かれていると捉える。
【００５７】
１番〜６番までの６個の提供情報領域ＩＡに描かれている提供情報Ｉは、次の通りである。
【００５８】
１番の提供情報領域ＩＡに描かれている提供情報Ｉは、夜間早朝の交通安全を呼びかけている。本例の場合、早朝の時間帯である５時〜７時の時間帯に１番の提供情報領域ＩＡが登録されている。
【００５９】
２番の提供情報領域ＩＡに描かれている提供情報Ｉは、スクールゾーンであることを通行禁止時間と共に示している。本例の場合、学童の通学時間に前後余裕を見た７時〜９時の時間帯に２番の提供情報領域ＩＡが登録されている。
【００６０】
３番の提供情報領域ＩＡに描かれている提供情報Ｉは、監視カメラで監視中であることを示している。本例の場合、学童の帰宅時間である１４時〜１６時の時間帯に３番の提供情報領域ＩＡが登録されている。
【００６１】
４番の提供情報領域ＩＡに描かれている提供情報Ｉは、クリーニング店の宣伝広告である。本例の場合、例えば未就学児童を保育園や幼稚園に送っていった母親の目に留まりやすい９時〜１１時の時間帯に４番の提供情報領域ＩＡが登録されている。
【００６２】
５番の提供情報領域ＩＡに描かれている提供情報Ｉは、スーパーマーケットの宣伝広告である。本例の場合、スーパーマーケットでの買い物需要が高まるお昼前後の１１時〜１３時の時間帯と夕方の１６時〜１７時の時間帯に５番の提供情報領域ＩＡが登録されている。
【００６３】
６番の提供情報領域ＩＡに描かれている提供情報Ｉは、電気店の宣伝広告である。本例の場合、１３時〜１４時の時間帯に６番の提供情報領域ＩＡが登録されている。
【００６４】
Ｐ１〜Ｐ３の提供情報Ｉは、デフォルトの提供情報領域ＩＡに位置する白紙シートＷＳに投影する投影画像である。これらのＰ１〜Ｐ３の表示画像による提供情報Ｉについては、図１８に示す。
【００６５】
図１８は、対応関係定義ＲＤに従い白紙シートＷＳに投影表示される投影画像を例示する模式図である。ホストコンピュータ２０１は、白紙シートＷＳに投影表示させるべき複数種類の画像データを予め用意し、識別コードを付してＲＡＭ２０４等に登録しておく。一例として、ホストコンピュータ２０１は、
Ｐ１の画像データ  夜間早朝交通安全報知
Ｐ２の画像データ  レストランの広告宣伝
Ｐ３の画像データ  ワインバーの広告宣伝
を事前に登録している。
【００６６】
Ｐ１の画像データに基づく提供情報Ｉは、上記１番の提供情報Ｉと同一の情報で、夜間早朝の交通安全を呼びかけている。本例の場合、夜間の時間帯である０時〜５時の時間帯にＰ１の画像データが登録されている。
【００６７】
Ｐ２の画像データに基づく提供情報Ｉは、レストランの宣伝広告である。本例の場合、レストラン探しの需要が高まる１８時〜２０時の時間帯にＰ２の画像データが登録されている。
【００６８】
Ｐ３の画像データに基づく提供情報Ｉは、ワインバーの宣伝広告である。本例の場合、酒場探しの需要が高まる２０時〜２２時の時間帯にＰ３の画像データが登録されている。
【００６９】
ホストコンピュータ２０１がインストールしているコンピュータプログラムは、このような画像データに識別コード（Ｐ１〜Ｐ３）を付し、対応関係定義ＲＤに設定し登録できるようにしている。
【００７０】
以上、図１７が例示している対応関係定義ＲＤが定義する提供情報Ｉ、及び図１８が例示している白紙シートＷＳに投影する投影画像の例を説明した。この説明からも明らかなように、提供情報Ｉには、例えば４番〜６番及びＰ２〜Ｐ３のような純粋に商業的な営利広告もあれば、１番〜３番及びＰ１のような地域情報も含まれている。一般的に、営利広告の広告主は、民間企業、地元商店、民間人等である。地域情報の掲載主は、地元の警察署、交通安全協会、ＰＴＡ等、程度の差こそあれ公益性を有している団体である。しかも、例示した１番〜３番及びＰ１の地域情報は、地域の安全に関する安全情報である。このようなことから、営利広告の場合、空いている時間帯を自由に購入できるようにすれば良いのに対して、１番〜３番及びＰ１のような地域情報の場合、タイムリーな時間帯が存在するので、営利広告に優先させることが望ましい。
【００７１】
そこで、上記１番〜３番及びＰ１のような地域情報を上記４番〜８番及びＰ２〜Ｐ３のような営利広告に優先させる手法として、本実施の形態のシステムでは、図１４に例示するリザーブ定義ＶＤを採用している。リザーブ定義ＶＤで定義された時間帯については、予めリザーブされ、対応関係定義ＲＤにおいて自由な設定を制限する。もっとも、リザーブ定義ＶＤで定義されている提供情報Ｉの種類によっては、全ての情報提供装置１０１についてその提供情報Ｉの時間帯における時間枠を制限する必要がない。例えば、前述した
スクールゾーン報知    ７：００〜  ９：００
というリザーブ定義ＶＤの場合、現実のスクールゾーン及びその周辺に設置されている情報提供装置１０１においてその情報提供をする必要性がある。ところが、スクールゾーンからほど遠い場所に設置されている情報提供装置１０１については、７：００〜  ９：００という時間帯に制約を課す実益がない。そこで、リザーブ定義ＶＤでは、リザーブという制約を課すべき情報提供装置１０１を個々のリザーブ対象である提供情報Ｉ毎に設定可能としているわけである。
【００７２】
なお、地域の安全に関する安全情報としては、災害の場合の非難情報、道路の使用を一時的に制限する道路工事情報、停電を呼びかけたり頭上で作業をしていることを知らせたりする電気工事情報等、各種の情報を提供情報領域ＩＡに描く提供情報Ｉとすることができる。
【００７３】
ここで注意すべきは、対応関係定義ＲＤが定義しているのは、表示媒体３１における提供情報領域ＩＡとその提供期間との間の対応関係である、ということである。つまり、対応関係定義ＲＤは、提供情報領域ＩＡに描かれている提供情報Ｉそのものについては、一切の定義をしていない。提供情報領域ＩＡとそこに描かれている提供情報Ｉとは、個々の表示媒体３１及びこれを保持する媒体保持部３２毎に異なっている。したがって、運用上、媒体保持部３２に保持される表示媒体３１にどのような提供情報Ｉが描かれるのかが決まってから対応関係定義ＲＤを登録するか、あるいは反対に、個々の情報提供装置１０１毎に予め登録されている対応関係定義ＲＤに従い表示媒体３１に描く提供情報Ｉを決めることになる。一般的には、前者の運用を採用することが好ましい。
【００７４】
もっとも、対応関係定義ＲＤは、デフォルトの提供情報領域ＩＡに位置する白紙シートＷＳに投影表示する投影画像の画像データについては、その識別コードを定義している。この意味で、対応関係定義ＲＤは、提供情報領域ＩＡに表示する提供情報Ｉを定義しているといえる。
【００７５】
加えて、対応関係定義ＲＤには、時間帯毎に音声報知データの識別コードを登録しておくようにしても良い。この場合、ホストコンピュータ２０１は、数種類の音声報知データを予め用意し、識別コードを付してＲＡＭ２０４等に登録しておく。一例として、
音声情報１番  「スクールゾーンです。車の通行はできません。」
音声情報２番  「学童が通学中です。地域の方は安全確保にご協力下さい。」
音声情報３番  「監視カメラでビデオ映像記録中です。」
音声情報４番  「不審者を見たら直ぐに１１０番。警察官が直ぐに伺います。」
等の音声報知データを登録しておく。そこで、対応関係定義ＲＤには、例えば２番の提供情報領域ＩＡに描かれている提供情報Ｉに合せて、７時〜９時の時間帯に音声情報１番又は音声情報２番を登録しておく。あるいは、対応関係定義ＲＤに、３番の提供情報領域ＩＡに描かれている提供情報Ｉに合せて、１４時〜１６時の時間帯に音声情報３番又は音声情報４番を登録しておく。ホストコンピュータ２０１のＣＰＵ２０２は、対応関係定義ＲＤに音声情報の識別コードが登録されている場合、その時間帯になったら、ＲＡＭ２０４等に予め登録している対応する識別コードの音声報知データを駆動制御情報に伴わせて対応する情報提供装置１０１に配信する。情報提供装置１０１は、音声報知データを受信したならば、これを定期的に音声合成回路１５７に入力し、その音声報知データに応じた合成音声をスピーカ１３１から出力するようにする。
【００７６】
ここで、ホストコンピュータ２０１においては、初期メニューとして、「設定」、「設置／変更」、「運用開始」の選択が可能である。
【００７７】
「設定」は、対応関係定義ＲＤにデータを設定して登録するためのメニューである。
【００７８】
「設置／変更」は、表示媒体３１の設置や変更を要する情報提供装置１０１に対して、そのような設置変更が可能な状態に制御するための駆動制御情報を生成し配信するためのメニューである。
【００７９】
「運用開始」は、媒体保持部３２と共に表示媒体３１が設置された情報提供装置１０１に対して、対応関係定義ＲＤに従い提供情報領域ＩＡを適宜切り替えていくための駆動制御情報を生成し配信するためのメニューである。
【００８０】
以下、「設定」、「設置／変更」、「運用開始」が選択された場合のホストコンピュータ２０１の処理内容を情報提供装置１０１で引き起こされる事象と共に説明する。
【００８１】
図１９は、ホストコンピュータ２０１のＣＰＵ２０２が実行する表示媒体設定処理の流れを示すフローチャートである。ホストコンピュータ２０１において、「設定」というメニューが選択されると、ＣＰＵ２０２は、設定の選択を判定し（ステップＳ１０１のＹ）、時間帯選択画面を表示装置２０７に表示する（ステップＳ１０２）。時間帯選択画面は、一例として、入力装置２０６を用いて時間帯の選択指定を可能とする画面である。そこで、ＣＰＵ２０２は、時間帯の入力を判定したら（ステップＳ１０３のＹ）、入力済みの時間をＲＡＭ２０４にレジストし（ステップＳ１０４）、番号選択画面を表示装置２０７に表示する（ステップＳ１０５）。番号選択画面は、一例として、入力装置２０６を用いて提供情報領域ＩＡの番号の選択指定を可能とする画面である。そこで、ＣＰＵ２０２は、提供情報領域ＩＡの番号の入力を判定したら（ステップＳ１０６のＹ）、ステップＳ１０４でレジストした既選択の時間帯に対応付けて入力済みである提供情報領域ＩＡの番号をＲＡＭ２０４にレジストする（ステップＳ１０７）。
【００８２】
ホストコンピュータ２０１のＣＰＵ２０２は、ステップＳ１０５で表示する番号選択画面において入力された番号が、白紙シートＷＳであるデフォルトの提供情報領域ＩＡを特定する番号である場合、白紙シートＷＳに投影表示させるべき画像データの識別コードの入力を促す。また、ＣＰＵ２０２は、ステップＳ１０５で表示する番号選択画面において番号入力がなされた場合、音声報知データの識別コードを入力する機会を提供する。
【００８３】
その後、ＣＰＵ２０２は、例えば入力装置２０６での確定入力を判定したら（ステップＳ１０８のＹ）、時間帯及び提供情報領域ＩＡの番号のレジストデータを確定登録する（ステップＳ１０９）。そして、次選択があれば（ステップＳ１１０のＹ）、ステップＳ１０２の処理にリターンし、なければ処理を終了する（ステップＳ１１０のＮ）。
【００８４】
こうして、ホストコンピュータ２０１は、対応関係定義ＲＤにデータを設定し、ＲＡＭ２０４に登録することができる。
【００８５】
図２０は、ホストコンピュータ２０１のＣＰＵ２０２が実行する表示媒体設定変更処理の流れを示すフローチャートである。ホストコンピュータ２０１において、「設置／変更」というメニューが選択され、対象となる情報提供装置１０１の選択入力がなされると、ＣＰＵ２０２は、設置／変更の選択を判定し（ステップＳ１１１のＹ）、選択された情報提供装置１０１に対して、その昇降体１０４が有する媒体保持筒１２２が初期位置に位置付けられるようにモータＭを駆動制御するための駆動制御信号を生成して配信する（ステップＳ１１２）。
【００８６】
ホストコンピュータ２０１から駆動制御信号を受信した情報提供装置１０１の制御部１５２は、媒体保持筒１２２が初期位置に位置付けられるようにモータＭを駆動制御する。この際、制御部１５２は、媒体保持筒１２２に既に表示媒体３１がセットされている場合には、バー３３に最も近い提供情報領域ＩＡを出現表示するようにモータＭを駆動制御する（ステップＳ１１２）。そして、初期位置に位置付けられた媒体保持筒１２２においては、そのスリット１２２ａが真下を向いた状態となる。この位置は、位置センサＳの出力によって判定可能である。
【００８７】
その後、ホストコンピュータ２０１のＣＰＵ２０２は、上記選択された情報提供装置１０１について、対応関係定義ＲＤの登録データをクリアし（ステップＳ１１３）、処理を終了する。ステップＳ１１３の登録データクリア処理によって、対象となる情報提供装置１０１の対応関係定義ＲＤに、次にセットする表示媒体３１の提供情報領域ＩＡに合せた内容の登録データの設定登録が可能となる。
【００８８】
情報提供装置１０１においては、その媒体保持筒１２２が初期位置に位置付けられた状態で昇降体１０４を下降させれば、既に設置されている表示媒体３１を媒体保持部３２と共に容易に取り除くことができるし、新規の表示媒体３１も媒体保持部３２と共に容易に装着することができる。
【００８９】
図２１は、ホストコンピュータ２０１のＣＰＵ２０２が実行する表示媒体設置処理の流れを示すフローチャートである。ホストコンピュータ２０１において、「運用開始」というメニューが選択され、対象となる情報提供装置１０１の選択入力がなされると、ＣＰＵ２０２は、運用開始の選択を判定し（ステップＳ１２１のＹ）、選択された情報提供装置１０１についての現在の提供情報領域ＩＡの番号をＮＵＬＬに設定してＲＡＭ２０４にレジストし（ステップＳ１２２−１）、現在の映像もＮＵＬＬに設定してＲＡＭ２０４にレジストする（ステップＳ１２２−２）。現在の提供情報領域ＩＡの番号というのは、上記選択された情報提供装置１０１に現在出現させている提供情報領域ＩＡの番号を意味している。現在の映像というのは、上記選択された情報提供装置１０１において現在その白紙シートＷＳに投影表示させている画像データの識別コードを意味している。
【００９０】
その後、ＣＰＵ２０２は、上記選択された情報提供装置１０１について、対応関係定義ＲＤに従い提供情報領域ＩＡを適宜切り替え、あるいは対応関係定義ＲＤに従った白紙シートＷＳに投影表示するための画像データを適宜配信していくための駆動制御ルーチンを繰り返していく。そのための処理として、ＣＰＵ２０２は、まず、現在の時刻を含む時間帯を算出する（ステップＳ１２３−１）。この場合の時間帯は、対応関係定義ＲＤに合わせた１時間単位である。
【００９１】
次いで、ＣＰＵ２０２は、ステップＳ１２３−１での算出結果に基づいて現在が昼間なのか夜間なのかを判定する（ステップＳ１２３−２）。この判定は、現在が白紙シートＷＳに画像投影を実行しない第１の状態（例えば昼間）なのか画像投影を実行する第２の状態（例えば夜間）なのかを判定する処理である。端的に言うと、第１の状態というのは、白紙シートＷＳに投影表示した投影画像が視認できにくい状態を意味し、第２の状態というのは、白紙シートＷＳに投影表示した投影画像が視認できる状態を意味する。ステップＳ１２３−２の処理の一例として、ＣＰＵ２０２は、昼間である時間帯と夜間である時間帯とを特定する基準データを保持し、ステップＳ１２３−１で算出した現在時刻がいずれの時間帯に入るのかを判定し、ステップＳ１２３−２の解を得る。この場合、季節や天候等によって周囲の明るさが変動するので、季節変動や天候変動によって予測される修正を加えるようにしても良い。別の一例として、ＣＰＵ２０２は、図１７に示す対応関係定義ＲＤの提供情報領域ＩＡの登録内容によって現在が昼間なのか夜間なのかを判定するようにしても良い。つまり、ステップＳ１２３−１で算出した現在時刻が含まれる対応関係定義ＲＤの時間帯における提供情報領域ＩＡに、白紙シートＷＳの領域であるデフォルト領域が登録されていなければ昼間、登録されていれば夜間と判定する。あるいは、夜間と判定する場合の条件として、デフォルト領域に画像データが共に登録されていることを要求するようにしても良い。更に別の一例として、情報提供装置１０１にその周辺の明るさを検出するセンサ（図示せず）を設けておき、その信号をホストコンピュータ２０１に配信させることでホストコンピュータ２０１にて個々の情報提供装置１０１の周辺の明るさ情報を取得し、これをもって昼間なのか夜間なのかを判定するようにしても良い。
【００９２】
ステップＳ１２３−２での判定の結果、昼間の場合には（ステップＳ１２３−２のＮ）、ＴＺ＝０とおき（ステップＳ１２３−３）、夜間の場合には（ステップＳ１２３−２のＹ）、ＴＺ＝１とおく（ステップＳ１２３−４）。
【００９３】
そして、ＣＰＵ２０２は、対応関係定義ＲＤを検索し、対象となる情報提供装置１０１について、ステップＳ１２３−１で算出した時間帯に提供情報領域ＩＡの番号が登録されているかどうか判定する（ステップＳ１２４）。この判定の結果、登録があれば（ステップＳ１２４のＹ）、ステップＳ１２３−２で昼間判定がなされたか（ＴＺ＝０）、あるいは夜間判定がなされたか（ＴＺ≠０）の判定を行なう（ステップＳ１２５−１）。これに対して、ステップＳ１２４の判定の結果、登録がなければ（ステップＳ１２４のＮ）、対象となる情報提供装置１０１に対して、モータＭを駆動してデフォルト媒体、つまり白紙シートＷＳを出現表示させることを指示する駆動制御情報を生成して配信する（ステップＳ１２６）。
【００９４】
情報提供装置１０１は、ホストコンピュータ２０１からデフォルト媒体を出現表示させることを指示する駆動制御情報を受信すると、その制御部１５２がモータ駆動回路１５５にモータ駆動信号を出力してモータＭを駆動制御し、デフォルト媒体である白紙シートＷＳを昇降体１０４の直下に出現させる。この際、情報提供装置１０１の制御部１５２は、モータＭの駆動に先立って設置センサ１５６からの信号を取り込み、情報提供装置１０１に媒体保持部３２及び表示媒体３１が確実に装着されて昇降体１０４が所期の上昇位置まで確実に上げられているかどうかを確認する。この確認が得られたならばモータＭを駆動する。
【００９５】
説明を補足する。ステップＳ１２４での判定の結果、対応関係定義ＲＤに提供情報領域ＩＡの番号の登録があるというのは、例えば図１７中の１７時〜１８時の時間帯以外の時間帯の状態である。これに対して、ステップＳ１２４での判定の結果、対応関係定義ＲＤに提供情報領域ＩＡの番号の登録がないというのは、例えば図１７中の１７時〜１８時の時間帯の状態である。提供情報領域ＩＡの番号の登録があれば、その提供情報領域ＩＡを出現させることになるわけであるが、この際、対象となる情報提供装置１０１において、既にその提供情報領域ＩＡが出現していれば、更にモータＭを駆動してその提供情報領域ＩＡを出現させる必要がない。これを見ているのが、ステップＳ１２５の処理である。これに対して、提供情報領域ＩＡの番号の登録がなければ、モータＭを駆動してデフォルト媒体である白紙シートＷＳを出現表示させることになる（ステップＳ１２６）。図１７にも示されているように、ステップＳ１２３−１で現在時刻が１７時〜１８時の時間帯であると判定された場合、ステップＳ１２４で提供情報領域ＩＡの番号の登録がないと判定されるので（ステップＳ１２４のＮ）、この場合には、対象となる情報提供装置１０１において、モータＭを駆動させてデフォルト媒体である白紙シートＷＳを表示させる。もっとも、既に白紙シートＷＳが表示されている場合には、更にモータＭを駆動して白紙シートＷＳを出現させる処理をする必要がないので、この場合にはモータＭを駆動させない。省略しているが、ステップＳ１２６にはこのような処理内容も含まれている。
【００９６】
ＣＰＵ２０２は、ステップＳ１２４で登録がありを判定した場合（ステップＳ１２４のＹ）、前述したように、今が昼なのか（ＴＺ＝０）、それとも夜なのか（ＴＺ≠０）を判定する（ステップＳ１２５−１）。一例として、５時〜１８時を昼、０時〜５時及び１８時〜２４時を夜と判断する。ステップＳ１２５−１で今が昼間か夜間かの判定をするのは、個々の情報提供装置１０１において、夜間には白紙シートＷＳを昇降体１０４の直下に出現させ、白紙シートＷＳへの画像投影によって情報提供を行なうからである。
【００９７】
そこで、ＣＰＵ２０２は、ステップＳ１２５−１において昼間である（ＴＺ＝０）と判定した場合には（ステップＳ１２５−１のＹ）、ＲＡＭ２０４にレジストされている現在の提供情報領域ＩＡの番号が対応関係定義ＲＤに設定登録されている番号と一致しているかどうかの判定に移る（ステップＳ１２５−２）。
【００９８】
ＣＰＵ２０２は、ＲＡＭ２０４にレジストされている現在の提供情報領域ＩＡの番号が対応関係定義ＲＤに設定登録されている番号と一致すると判定すれば（ステップＳ１２５−２のＹ）、対象となる情報提供装置１０１において提供情報領域ＩＡの変更が不要なので、ステップＳ１２３−１の処理にリターンする。これにより、ステップＳ１２３−１〜ステップＳ１２５−２までの処理が繰り返される。この状態は、図１７に示す例で説明すると、例えば１番の提供情報領域ＩＡを出現させている５時〜７時の時間帯、ステップＳ１２５−２では必ず一致判定がなされ（ステップＳ１２５−２のＹ）、ステップＳ１２３−１〜ステップＳ１２５−２までの処理が繰り返し実行されることになる。
【００９９】
これに対して、ＣＰＵ２０２は、ＲＡＭ２０４にレジストされている現在の提供情報領域ＩＡの番号が対応関係定義ＲＤに設定登録されている番号と一致しないと判定した場合には（ステップＳ１２５のＮ）、対象となる情報提供装置１０１において、モータＭを駆動して対応関係定義ＲＤに設定されている番号の提供情報領域ＩＡを出現させる（ステップＳ１２７−１）。この状態は、図１７に示す例で説明すると、例えば、直前ルーチンでのステップＳ１２３−１での算出が６時〜７時の時間帯であった場合にステップＳ１２３−１で７時〜８時の時間帯を初めて算出したような状態である。この場合、対応関係定義ＲＤで定義されている提供情報領域ＩＡの番号は１番から２番に変わっているので、ＣＰＵ２０２は、現在の提供情報領域ＩＡの番号が対応関係定義ＲＤに設定されている番号と一致しないと判定することになる（ステップＳ１２５−２のＮ）。そこで、この場合、ＣＰＵ２０２は、ステップＳ１２７の処理で、対象となる情報提供装置１０１に対して、モータＭを駆動制御し、対応関係定義ＲＤに設定されている２番の提供情報領域ＩＡを昇降体１０４の直下に出現させるべき駆動制御情報を生成し配信する。
【０１００】
情報提供装置１０１は、ホストコンピュータ２０１から駆動制御情報を受信すると、その制御部１５２がモータ駆動回路１５５にモータ駆動信号を出力してモータＭを駆動制御する。この際、情報提供装置１０１の制御部１５２は、モータＭの駆動に先立って設置センサ１５６からの信号を取り込み、情報提供装置１０１に媒体保持部３２及び表示媒体３１が確実に装着されて昇降体１０４が所期の上昇位置まで確実に上げられているかどうかを確認する。この確認が得られたならばモータＭを駆動する。
【０１０１】
ＣＰＵ２０２は、ステップＳ１２７−１の処理の後、対象となる情報提供装置１０１について、現在の提供情報領域ＩＡの番号を対応関係定義ＲＤに登録されている番号に設定してＲＡＭ２０４にレジストし（ステップＳ１２８−１）、ステップＳ１２３−１の処理にリターンする。こうして、情報提供装置１０１では、常に、対応関係定義ＲＤに定義されている通りの提供情報領域ＩＡが昇降体１０４の直下に出現し表示されることになる。
【０１０２】
これに対して、ＣＰＵ２０２は、ステップＳ１２５−１において夜間である（ＴＺ≠０）と判定した場合には（ステップＳ１２５−１のＮ）、対象となる情報提供装置１０１において、昇降体１０４の直下に出現させるべき提供情報領域ＩＡは常に白紙シートＷＳである。そこで、その情報提供装置１０１において白紙シートＷＳが出現しているかどうか、つまり、現在の提供情報領域ＩＡの番号としてＮＵＬＬが登録されているかどうかを判定する（ステップＳ１２５−３）。そして、もしも当該情報提供装置１０１において白紙シートＷＳが出現していない場合には（ステップＳ１２５−３のＮ）、その情報提供装置１０１に対して、モータＭを駆動して白紙シートＷＳを出現表示させることを指示する駆動制御情報を生成して配信し（ステップＳ１２５−５）、現在の提供情報領域ＩＡの番号をＮＵＬＬに設定してＲＡＭ２０４にレジストする（ステップＳ１２５−６）。
【０１０３】
情報提供装置１０１は、ホストコンピュータ２０１からデフォルト媒体を出現表示させることを指示する駆動制御情報を受信すると、その制御部１５２がモータ駆動回路１５５にモータ駆動信号を出力してモータＭを駆動制御し、デフォルト媒体である白紙シートＷＳを昇降体１０４の直下に出現させる。この際、情報提供装置１０１の制御部１５２は、モータＭの駆動に先立って設置センサ１５６からの信号を取り込み、情報提供装置１０１に媒体保持部３２及び表示媒体３１が確実に装着されて昇降体１０４が所期の上昇位置まで確実に上げられているかどうかを確認する。この確認が得られたならばモータＭを駆動する。こうすることで、夜間部においては、個々の情報提供装置１０１において昇降体１０４の直下に常に白紙シートＷＳを出現させておくことができる。
【０１０４】
その後、ＣＰＵ２０２は、対象となる情報提供装置１０１について、ＲＡＭ２０４にレジストされている現在の映像（画像データの識別コード）が対応関係定義ＲＤに設定登録されている識別コードに一致するかどうかを判定する（ステップＳ１２５−４）。ＣＰＵ２０２は、一致を判定すればステップＳ１２３−１の処理にリターンするのに対して（ステップＳ１２５−４のＹ）、一致を判定しない場合には（ステップＳ１２５−４のＮ）、対応関係定義ＲＤに設定登録されている識別コードによって特定される画像データをＲＡＭ２０４から呼び出して対応する情報提供装置１０１に駆動制御情報として配信する（ステップＳ１２７−２）。そして、その情報提供装置１０１について、現在の映像（画像データの識別コード）を、配信した画像データの識別コードに設定してＲＡＭ２０４にレジストし（ステップＳ１２８−２）、ステップＳ１２３−１の処理にリターンする。こうして、情報提供装置１０１では、夜間には昇降体１０４の直下に白紙シートＷＳを出現させ、対応関係定義ＲＤに定義されている通りの映像をプロジェクタＰＪによって白紙シートＷＳに映し出すことができる。
【０１０５】
更に、ホストコンピュータ２０１のＣＰＵ２０２は、個々の情報提供装置１０１について、対応関係定義ＲＤに音声報知データの識別コードが登録されている場合、その時間帯になったら、ＲＡＭ２０４等に予め登録している対応する識別コードの音声報知データを駆動制御情報に伴わせて対応する情報提供装置１０１に配信する。情報提供装置１０１は、音声報知データを受信したならば、これを定期的に音声合成回路１５７に入力し、その音声報知データに応じた合成音声をスピーカ１３１から出力するようにする。このような音声報知の併用、とりわけ、地域の安全に関する安全情報を表示媒体３１による提供情報Ｉとして出現させ表示している際における音声報知の併用は、表示媒体３１による視覚的な情報報知効果をより一層効果的にすることができ、安全性向上に一役買うことになる。
【０１０６】
このような構成において、本実施の形態の情報提供装置１０１によれば、媒体保持部３２を設置棒１０５及びフックピン１０７にセットし、表示媒体３１のバー３３を昇降体１０４の媒体装着孔ＳＨに差し込んでセットし、錠部１０６にハンドル５１を取り付けて回転操作すれば、昇降体１０４が上昇し、表示媒体３１に描かれている提供情報Ｉを表示するこができる。また、昇降体１０４が上昇位置に位置して表示媒体３１に描かれている提供情報Ｉが表示されている状態で錠部１０６にハンドル５１を取り付けて回転操作すれば、昇降体１０４を下降させて媒体保持部３２を表示媒体３１と共に入れ替えることができる。
【０１０７】
また、表示媒体３１及びこれを保持する媒体保持部３２は、従来の金属製の広告看板やディスプレイ広告のように重量物であったり大掛かりなものであったりしない。このため、本実施の形態の情報提供装置１０１及び情報提供方法によれば、昇降体１０４を昇降させることで容易に表示媒体３１を設置することができ、また、一旦設置された表示媒体３１を媒体保持部３２と共に容易に入れ替えることができる。これにより、表示媒体３１が表示する提供情報Ｉを頻繁に変更したいという要望にも、たやすく応えることができる。
【０１０８】
これに加えて、本実施の形態の情報提供システム１００１によれば、人手を介することなく、対応関係定義ＲＤに定義されている通りの提供情報領域ＩＡを昇降体１０４の直下に出現させて表示することができる。この場合、対応関係定義ＲＤでの定義如何によっては、図１７に例示するような数時間毎というスパンのみならず、分単位でも、極端には秒単位でも提供情報Ｉの内容を変更することが可能である。したがって、提供情報Ｉの内容を頻繁に変更したいという要望に十分に応えることができる。
【０１０９】
しかも、本実施の形態の情報提供システム１００１によれば、表示媒体３１を巻き取ったり巻き戻したりすることでその提供情報領域ＩＡをタイムリーに出現させることで提供情報Ｉの変更を可能とするばかりか、白紙シートＷＳを出現させた上で、白紙シートＷＳに画像データに基づく画像をプロジェクタＰＪによって投影させることができる。この場合、白紙シートＷＳに投影表示させるべき画像データの切り換えは容易なことであるので、この面からも、提供情報Ｉの内容を頻繁に変更したいという要望に確実に応えることができる。そればかりか、昼間は表示媒体３１を巻き取ったり巻き戻したりすることでその提供情報領域ＩＡをタイムリーに出現させて提供情報Ｉを随時変更することで提供情報Ｉの視認性を維持することができながら、夜間はプロジェクタＰＪによる白紙シートＷＳへの投影画像によって心地よい演色性を生じさせることができる。
【０１１０】
更に、媒体保持部３２の巻戻し部３４には巻戻し機構が仕組まれているため、表示媒体３１を保持している昇降体１０４を下降させると、これに合せて表示媒体３１が媒体保持部３２に巻き戻される。したがって、表示媒体３１の撤去作業が極めて容易となる。
【０１１１】
更に、本実施の形態の情報提供装置１０１及び情報提供方法によれば、昇降体１０４を昇降させるに際して、基部１０２の側の錠部１０６に適合する鍵部５２を有するハンドル５１を必要とする。このため、ハンドル５１の管理をしっかり行なっていれば、セキュリティ性が高く、愉快犯による犯罪等を防止し抑制することができる。
【０１１２】
以上説明したように、本実施の形態の情報提供装置１０１、情報提供方法、及び情報提供システム１００１は、従来にない極めてユニークな装置、方法及びシステムであり、多大な社会的貢献をもたらすものである。
【符号の説明】
【０１１３】
１１    電柱
３１    表示媒体
３２    媒体保持部
１０２    基部
１０３    外灯
１０４    昇降体
１１１    昇降機構
１１２    動力変換機構
１１４ａ  下部支軸（受動部）
１２７    媒体装着機構
１３１    スピーカ
１４３    巻回機構
１５２    制御部
１５３    メモリ
１５７    音声合成回路
１５８    Ｉ／Ｏ（入出力回路）
１５９    接続部
２０１    ホストコンピュータ（外部機器）
２０４    ＲＡＭ（記憶領域）
３０１    通信回線網
ＤＣ    ドライブ回路
Ｉ    提供情報
ＩＡ    提供情報領域
Ｍ    モータ（アクチュエータ）
ＰＪ    プロジェクタ
ＲＤ    対応関係定義
ＷＳ    白紙シート（スクリーン）
【図１】
2011081097.tif 000003
【図２】
2011081097.tif 000004
【図３】
2011081097.tif 000005
【図４】
2011081097.tif 000006
【図５】
2011081097.tif 000007
【図６】
2011081097.tif 000008
【図７】
2011081097.tif 000009
【図８】
2011081097.tif 000010
【図９】
2011081097.tif 000011
【図１０】
2011081097.tif 000012
【図１１】
2011081097.tif 000013
【図１２】
2011081097.tif 000014
【図１３】
2011081097.tif 000015
【図１４】
2011081097.tif 000016
【図１５】
2011081097.tif 000017
【図１６】
2011081097.tif 000018
【図１７】
2011081097.tif 000019
【図１８】
2011081097.tif 000020
【図１９】
2011081097.tif 000021
【図２０】
2011081097.tif 000022
【図２１】
2011081097.tif 000023